(57)【要約】【課題】  振り分けられた感光材料を振り分け経路に対して確実に搬送する感光材料の搬送構造を得る。【解決手段】  振分け経路を横断する位置の単一の駆動ローラ５５を備え、振り分け経路と対応した位置において、軸体５９の支持軸芯Ｙと沿う方向に変位自在、かつ、支持軸芯Ｙ周りで揺動自在に可動フレーム６０を備え、この可動フレーム６０に対して圧着ローラ一対の圧着ローラ５６を遊転支承し、更に、可動フレーム６０を駆動ローラ５５の側に付勢する圧縮コイルバネ６１を軸体５９に外嵌する状態で備えた。【選択図】        図８
2005089165.tif 000002
【特許請求の範囲】
【請求項１】
プリントサイズに切断された感光材料を単列で送る前搬送機構と、この前搬送機構からの感光材料を複数の振り分け経路に振り分ける振分機構と、この振分機構からの感光材料を前記複数の振り分け経路に沿って搬送する後搬送機構とを備えている感光材料の搬送構造であって、
前記後搬送機構が、前記複数の振り分け経路を横断する位置に配置された単一の駆動ローラと、前記振り分け経路と対応する位置夫々に配置された圧着ローラとを備えると共に、前記圧着ローラは可動フレームに遊転支承され、この可動フレームは、前記圧着ローラの軸芯方向での中央部において、この駆動ローラの駆動軸芯と直交する姿勢の支持軸芯周りで揺動自在に支持され、かつ、付勢手段により前記駆動ローラの側に付勢されている感光材料の搬送構造。
【請求項２】
前記可動フレームは、前記支持軸芯上に配置された軸体に対して変位自在に支持され、前記付勢手段は、前記軸体に外嵌する位置に配置された圧縮コイルバネで構成されている請求項１記載の感光材料の搬送構造。
【請求項３】
前記複数の可動フレームに対して一対の前記圧着ローラを平行姿勢で遊転支承し、前記付勢手段の付勢力によって一対の圧着ローラを前記駆動ローラに対して圧着させることにより、この一対の圧着ローラの圧着力によって感光材料を駆動ローラの外周に沿って湾曲させて送り、感光材料の搬送方向を変更するよう構成されている請求項１又は２記載の感光材料の搬送構造。
【請求項４】
前記振り分け経路を横断する支持体を前記後搬送機構のフレームに対して分離自在に備え、この支持体に対して前記軸体を取り付け、この軸体に対して前記可動フレームを保持している請求項２又は３記載の感光材料の搬送構造。
【請求項５】
前記振分機構は、前記前搬送機構から送り出される感光材料を挟持して前記後搬送機構に受け渡す作動を行う複数のチャッカーを備えると共に、この振り分け機構は、感光材料を前記複数の振り分け経路に振り分ける振り分けモードと、感光材料を前搬送機構における搬送経路の延長上に感光材料を送る単一搬送モードとの何れかのモードで前記チャッカーを作動させるよう構成され、前記後搬送機構は、振り分けモードで送られる感光材料を対応する圧着ローラで圧着し、かつ、単一搬送モードで送られる感光材料を隣り合う圧着ローラで圧着可能に構成されている請求項１〜４のいずれか１項に記載の感光材料の搬送構造。
【発明の詳細な説明】
【技術分野】
【０００１】
本発明は、プリントサイズに切断された感光材料を単列で送る前搬送機構と、この前搬送機構からの感光材料を複数の振り分け経路に振り分ける振分機構と、この振分機構からの感光材料を前記複数の振り分け経路に沿って搬送する後搬送機構とを備えている感光材料の搬送構造に関し、詳しくは、振り分けられた感光材料を、振り分け経路毎に独立した圧着型のローラで搬送する技術に関する。
【背景技術】
【０００２】
上記のように構成された感光材料の搬送構造として、以下の特許文献１に示す技術が存在する。この技術では、プリントサイズに切断された印画紙（本発明の感光材料）に対して焼き付け処理を行った後に、その印画紙を搬入側搬送手段（本発明の前搬送機構）から振分部（本発明の振分機構）に送って２列の経路に振り分ける処理を行い、この処理で振り分けられた印画紙を揃え手段（本発明の後搬送機構）に送ることにより先端位置を搬送方向と直交する方向の一線に揃えた後に送り出すよう構成されている。この技術では、振分部が、印画紙の搬送方向に対して直交する方向に移動自在、かつ、内部に印画紙の通過を許す複数のローラ対を有する振分ボックスを備えて構成されている。また、この振分ボックスで振り分けを行う際には、単列で送られる印画紙を、ホーム位置の振分ボックスの内部に送り込み、振分ボックスをシフトさせる作動を行うものとなっている。更に、前記揃え手段は、導入側に振り分け幅の全幅に亘って配置された圧着型の搬送ローラと、圧着ローラとで成るローラ対を備えると共に、この下流側に振り分け幅の全幅に亘って配置され、かつ、駆動軸にワンウエイクラッチを備えた送りローラと、振り分け経路に対応して配置された一対の圧着ローラとで成る２組のローラ対とを備えている。
【０００３】
そして、揃え手段は、一方の側に振り分けられた印画紙を搬送ローラと圧着ローラを介して下流側に送ることにより、ワンウエイクラッチが送りローラの回転を許す形態で、この送りローラと一方の圧着ローラとの間に印画紙を受け入れるものとなっており、これと同じ作動を他方の側に振り分けた印画紙においても行うことにより、先端が揃った状態で印画紙を保持するものとなっている。このように印画紙を保持した後には、送りローラを回転させることにより印画紙を並列した位置関係で送り出せるものとなっている（例えば、特許文献１参照）。
【０００４】
【特許文献１】特開平７‐１２０９０４号公報  （段落番号〔００２１〕〜〔００３４〕、図２〜図５）
【発明の開示】
【発明が解決しようとする課題】
【０００５】
特許文献１にも記載されているように、露光後の感光材料を複数の振り分け経路に振り分けた後に現像処理を行うものは、現像処理部における処理効率を向上させるために有効である。また、振り分け後の感光材料を圧着型のローラによって搬送することを考えるに、その圧着型のローラは、感光材料の全幅を確実に圧着した状態となることが確実に感光材料を搬送する点において重要である。この点について、特許文献１では、単一の送りローラに対して、振り分け経路に対応して配置した一対の圧着ローラをバネによって圧着させる構造を採用しているので、振り分けられた感光材料は幅方向に平均した圧着力を受けて確実に搬送されるものとなっている。
【０００６】
振り分け経路の数に対応した数の圧着型のローラを備える点を考えるに、夫々のローラは、対向する駆動側のローラに対して軸芯方向で等しく圧着する必要がある。しかしながら、特許文献１に記載されるもののようにローラの両端部にバネを備えるものでは、夫々のバネの個体差や、取り付け精度等によって軸芯方向の一方の圧着力が他方より強くなることもあり、適正な圧着状態で搬送する観点において改善の余地がある。また、駆動側のローラと圧着側のローラとの配置を考えるに、夫々のローラは互いに平行する関係に配置される必要がある。しかしながら、特許文献１に記載されているもののように、駆動側のローラを、複数の搬送経路を横断する単一のもので構成し、この駆動型のローラに圧着するローラを振り分け経路毎に備えた場合には、この圧着側のローラが駆動側のローラより短い寸法となるので軸芯姿勢の設定が困難な面もある。尚、夫々のローラの軸芯が互いに平行に設定出来ない場合には、感光材料を圧着する力が偏り確実な搬送を行えないばかりか、感光材料を所定の振り分け経路から外れる方向に感光材料を搬送することや、感光材料を蛇行させる不都合に繋がることもあり改善の余地があった。
【０００７】
本発明の目的は、振り分けられた感光材料を振り分け経路に対して確実に搬送する感光材料の搬送構造を得る点にある。
【課題を解決するための手段】
【０００８】
本発明の特徴は、プリントサイズに切断された感光材料を単列で送る前搬送機構と、この前搬送機構からの感光材料を複数の振り分け経路に振り分ける振分機構と、この振分機構からの感光材料を前記複数の振り分け経路に沿って搬送する後搬送機構とを備えている感光材料の搬送構造において、前記後搬送機構が、前記複数の振り分け経路を横断する位置に配置された単一の駆動ローラと、前記振り分け経路と対応する位置夫々に配置された圧着ローラとを備えると共に、前記圧着ローラは可動フレームに遊転支承され、この可動フレームは、前記圧着ローラの軸芯方向での中央部において、この駆動ローラの駆動軸芯と直交する姿勢の支持軸芯周りで揺動自在に支持され、かつ、付勢手段により前記駆動ローラの側に付勢されている点にある。
【０００９】
この構成により、圧着ローラは可動フレームに作用する付勢手段からの付勢力により、駆動ローラに圧着するので、この圧着ローラの両端部夫々にバネを備えたものと比較して、振り分けられた感光材料に対して圧着ローラの軸芯方向で（感光材料の幅方向で）均衡した圧力で圧着させ得るものとなる。また、可動フレームが支持軸芯周りで揺動自在に支持されているので、この可動フレームの揺動によってキャスタと同様に、この可動フレームに支持された圧着ローラの軸芯を駆動ローラの駆動軸芯と平行する位置関係に保持することが可能となる。その結果、駆動ローラと圧着ローラとで感光材料を均一に圧着して感光材料を振り分け経路に沿って適正に搬送できるものとなった。
【００１０】
本発明は、前記可動フレームが、前記支持軸芯上に配置された軸体に対して変位自在に支持され、前記付勢手段が、前記軸体に外嵌する位置に配置された圧縮コイルバネで構成されても良い。
【００１１】
この構成により、軸体の部位から可動フレームに対して圧縮コイルバネからの付勢力を作用させると共に、感光材料の厚さに応じて可動フレームを軸体の軸芯方向に変位させるので、簡単な構造でありながら可動フレームに付勢力を作用させ得るものとなった。
【００１２】
本発明は、前記複数の可動フレームに対して一対の前記圧着ローラを平行姿勢で遊転支承し、前記付勢手段の付勢力によって一対の圧着ローラを前記駆動ローラに対して圧着させることにより、この一対の圧着ローラの圧着力によって感光材料を駆動ローラの外周に沿って湾曲させて送り、感光材料の搬送方向を変更するよう構成しても良い。
【００１３】
この構成により、振り分けられた感光材料は、一対の圧着ローラが配置された領域において駆動ローラの外周に沿って送られることにより、搬送方向が湾曲する方向に変更されものとなり、感光材料を一対の圧着ローラで確実に搬送しながら搬送方向を変更できるものとなった。
【００１４】
本発明は、前記振り分け経路を横断する支持体を前記後搬送機構のフレームに対して分離自在に備え、この支持体に対して前記軸体を取り付け、この軸体に対して前記可動フレームを保持しても良い。
【００１５】
この構成により、この支持体と可動フレームと圧着ローラとを一体的に後搬送機構のフレームから分離して、駆動ローラと圧着ローラとの圧着面を開放することが可能となり、例えば、感光材料の詰まりが発生した場合の感光材料の除去や、メンテナンスを簡便に行えるものとなった。
【００１６】
本発明は、前記振分機構が、前記前搬送機構から送り出される感光材料を挟持して前記後搬送機構に受け渡す作動を行う複数のチャッカーを備えると共に、この振り分け機構が、感光材料を前記複数の振り分け経路に振り分ける振り分けモードと、感光材料を前搬送機構における搬送経路の延長上に感光材料を送る単一搬送モードとの何れかのモードで前記チャッカーを作動させるよう構成され、前記後搬送機構は、振り分けモードで送られる感光材料を対応する圧着ローラで圧着し、かつ、単一搬送モードで送られる感光材料を隣り合う圧着ローラで圧着可能に構成しても良い。
【００１７】
この構成により、振り分けモードでは、前搬送機構から送り出される感光材料をチャッカーで挟持して後搬送機構に対して振り分ける形態で受け渡した場合には、対応する圧着ローラと駆動ローラとで感光材料を圧着して搬送できるものとなる。また、単一搬送モードでは、前搬送機構の搬送経路の延長上に感光材料を送る形態で、その感光材料を後搬送機構に対して受け渡した場合には、その感光材料を隣り合う圧着ローラと駆動ローラとで圧着して搬送することも可能となる。特に、この単一搬送モードでは、大きいサイズの感光材料でも、夫々の圧着ローラと駆動ローラとで感光材料を圧着した状態で確実に搬送できるものとなる。
【発明を実施するための最良の形態】
【００１８】
以下、本発明の実施形態を図面に基づいて説明する。
図１に示すように、感光材料としての銀塩印画紙Ｐ（以下、印画紙Ｐと称する）に対して露光を行う露光ブロックＥｘと、この露光ブロックＥｘで露光された印画紙Ｐの現像処理を行う現像ブロックＤｅと、現像処理後の印画紙Ｐを乾燥する乾燥ブロックＤｒとを筐体１０に収納すると共に、筐体１０の外部に処理の後に筐体１０の上部から水平方向に送り出される印画紙Ｐをベルト搬送機構１１からソータ（図示せず）に送り、オーダ単位で仕分けて集積する写真プリント装置が構成されている。この写真プリント装置はデジタルミニラボと称せられるものであり、図面には示していないが、写真フィルムのコマ画像をフィルムスキャナによって光電変換することにより取り込んだ画像情報、あるいは、デジタルカメラで撮影した画像情報を該写真プリント装置に伝送することにより、その画像情報に基づき露光ブロックＥｘにおいて印画紙Ｐに露光を行い、自動的な現像処理を行えるよう構成されたものである。
【００１９】
前記露光ブロックＥｘは、２つの印画紙マガジンＭ、Ｍの一方に収納したロール状の印画紙Ｐを供給ユニットＵ１でプリントサイズに切断して上方に搬送し、この供給ユニットＵ１からの印画紙Ｐを露光ユニットＵ２において鉛直姿勢となる搬送経路を下方から上方に搬送しながら画像情報の露光を行い、この露光ユニットＵ２から上方に送られる印画紙Ｐを前部ローラユニットＵ３（前搬送機構の一例）において搬送方向を水平方向に変換した後、振分ユニットＵ４（振分機構の一例）で水平方向に送り、この後、後部ローラユニットＵ５（後搬送機構の一例）から前記現像ブロックＤｅに受け渡すよう印画紙Ｐの搬送系が構成されている。
【００２０】
〔供給ユニット〕前記供給ユニットＵ１は、２つの印画紙マガジンＭ、Ｍの一方に収納したロール状の印画紙Ｐを複数の供給ローラ１６によって引き出し、カッター１７でプリントサイズに切断し、このように切断された印画紙Ｐの裏面側にドットインパクト型の印字ヘッド１８によって必要な情報をプリントし、この後、印画紙Ｐを挟持搬送するフィーダ１９によって単列で前記露光ユニットＵ２に送り込むよう構成されている。図面には示していないが、前記フィーダ１９は印画紙Ｐを圧着する状態と、離間する状態とに切り換え自在なチャック部を備えている。そして、この供給ユニットＵ１では、前記印字ヘッド１８で裏面側に情報が印字された印画紙Ｐを前記チャック部で挟持し、フィーダ１９の作動によって略上方に搬送し、その印画紙Ｐを露光ユニットＵ２に受け渡した後にチャック部を開放し、この後、フィーダ１９を下方に移動し、前述と同様に印字ヘッド１８で裏面側に情報がプリントされた印画紙Ｐをチャック部で挟持するよう作動する。
【００２１】
〔露光ユニット〕前記露光ユニットＵ２には、図１及び図２に示すように、前記フィーダ１９からの印画紙Ｐを受け取る開放状態と、印画紙Ｐを搬送する圧着状態とに切り換え自在なローラ対で成る受取ローラ２０を備えると共に、金属製の駆動ローラ２１と、この駆動ローラ２１に対して圧着する圧着状態及び離間する開放状態に切り換え自在な従動ローラ２２とで成る露光搬送ローラを、露光位置を挟む上下位置に配置し、この露光搬送ローラで上方（副走査方向）に搬送される印画紙Ｐに対して主走査方向（水平方向）に画像情報の露光を行うレーザ走査型の露光エンジン２３を備えて構成されている。
【００２２】
前記露光エンジン２３は、ケーシングの内部に収納したＲ（赤）、Ｇ（緑）、Ｂ（青）の三原色のレーザ光源からの光線を音響光学式の変調手段によって光量を調節した後、縦軸芯で回転するポリゴンミラーのミラー面で反射させることにより主走査方向に走査する状態で前記露光位置に送り出す構造のものが使用されている。尚、この露光エンジン２３として液晶シャッター方式やＤＭＤ方式の使用が可能である。
【００２３】
図面には示していないが、この露光ユニットＵ２には前記駆動ローラ２１を設定速度で回転駆動するステッピングモータを備え、従動ローラ２２を駆動ローラ２１の側に圧着させる圧着状態と、この従動ローラ２２を駆動ローラ２１から離間させる開放状態とに切り換える回転カム式の操作機構を備えている。そして、前記露光搬送ローラのうち、搬送方向で上流側（図面では下側）に配置されたものは、前記受取ローラ２０からの印画紙Ｐを搬送する際には、開放状態に設定して印画紙Ｐの先端を受け入れ、この受け入れの後に圧着状態に切り換えて搬送力を作用させ、また、露光搬送ローラのうち搬送方向で下流側（図面では上側）に配置されたものは、上流側の露光搬送ローラからの印画紙Ｐを搬送する際には、開放状態に設定して印画紙Ｐの先端を受け入れ、この受け入れの後に圧着状態に切り換えて搬送力を作用させるように作動する。
【００２４】
〔前部ローラユニット〕前部ローラユニットＵ３は、前記露光ユニットＵ２から送り出される印画紙Ｐを湾曲搬送経路に送ることにより搬送方向を水平方向に変換するよう機能するものである。つまり、この前部ローラユニットＵ３は、湾曲搬送経路を挟んで下側に配置される固定ガイド３０と、前記湾曲搬送経路を挟んで上側において、支軸３１Ａ周りでの揺動によって固定ガイド３０に接近するガイド位置及び固定ガイド３０から離間する開放位置に切り換え自在な可動ガイド３１とを備えている。また、この湾曲搬送経路に沿って、固定ガイド３０の側に配置される複数の駆動ローラ３２と、夫々の駆動ローラ３２に圧着する圧着位置（印画紙Ｐに圧着する状態）及び駆動ローラ３２から離間する（印画紙Ｐから離間する）開放位置に切り換え自在な複数の従動ローラ３３とを備えている。図面には示していないが、この前部ローラユニットＵ３には、前記可動ガイド３１と従動ローラ３３とを一体的に開閉作動させる開閉作動系と、駆動ローラ３２を駆動回転する回転駆動系とを備えている。
【００２５】
〔振分ユニット〕感光材料搬送ユニットとしての前記振分ユニットＵ４は、図２〜図４に示すように、前部ローラユニットＵ３の供給経路Ｆの供給位置に達した印画紙Ｐを２つのチャッカーＣＨ、ＣＨの作動によって前記後部ローラユニットＵ５に形成された２つの振り分け経路Ｇ、Ｇの受け渡し部に振り分けるよう構成されている。因みに、受け渡し部は振り分け経路Ｇ、Ｇの搬送始端位置において印画紙Ｐを受け取る部位を指すものであり、この受け渡し部は、後部ローラユニットＵ５の導入ローラ部Ｕ５ａ（詳細は後述する）で構成されている。
【００２６】
つまり、この振分ユニットＵ４は、印画紙Ｐの搬送方向に案内方向を設定した一対の搬送レール４０と、夫々の搬送レール４０に対して往復移動自在に支持した搬送フレーム４１と、夫々の搬送フレーム４１において印画紙Ｐの搬送方向と直交する方向に案内方向を設定して備えたシフトレール４２と、このシフトレール４２に対して、往復移動自在に支持したシフト部材４３とを備えると共に、このシフト部材４３において印画紙Ｐを挟持する状態と、印画紙Ｐの通過を許す離間状態とに切り換え自在となるよう前記チャッカーＣＨを備えている。
【００２７】
前記搬送フレーム４１は、ステッピングモータ型の搬送モータ４５からの駆動力で作動する無端ベルト４６からの駆動力によって往復作動し、前記シフト部材４３はステッピングモータ型のシフトモータ４７からの駆動力で作動する無端ベルト４８からの駆動力で往復作動する。また、前記チャッカーＣＨは、前記シフト部材４３に対して位置固定状態で支持された駆動型の第１チャックローラ４９と、この第１チャックローラ４９に対して上方から圧着する状態（印画紙Ｐを圧着する状態）及び上方に離間する状態夫々に切り換え自在な第２チャックローラ５０とを備えると共に、前記シフト部材４３に対して第２チャックローラ５０を圧着状態と離間状態に切り換えるよう電磁ソレノイドや電動モータで成るチャック作動部（図示せず）及び第１チャックローラ４９を駆動回転するモータ５１を備えている。
【００２８】
この振分ユニットＵ４では、印画紙Ｐが小さいサイズの場合には、前部ローラユニットＵ３の単一の供給経路Ｆの終端位置の供給位置に送られた印画紙Ｐを一方のチャッカーＣＨで挟持して前記後部ローラユニットＵ５に形成された２列の振り分け経路Ｇ、Ｇのうちの一方の受け渡し位置に送り込み、次の印画紙Ｐを他方のチャッカーＣＨで挟持して２列の振り分け経路Ｇ、Ｇのうちの他方の受け渡し値に送り込む振り分けモードでの作動を行い、また、印画紙Ｐが大きいサイズの場合には、前部ローラユニットＵ３の単一の供給経路Ｆから送り出された印画紙Ｐの先端位置の両側部を一対のチャッカーＣＨ、ＣＨで挟持して、前部ローラユニットＵ３での搬送速度と等しい速度で一対のチャッカーＣＨ、ＣＨを作動させることにより、その印画紙Ｐを前記供給経路Ｆの延長上に位置する後部ローラユニットＵ５に搬送する単一搬送モードでの作動を行うよう構成されている。尚、この振分ユニットＵ４で印画紙Ｐを振り分ける際には、振り分け経路Ｇ、Ｇに対して印画紙Ｐの先端を揃えた並列状態で、その印画紙Ｐを同時に受け渡す形態と、先に振り分けた印画紙Ｐを先に送り、後に振り分けた印画紙Ｐを後に送る千鳥状態で、夫々の印画紙Ｐを受け渡す形態との何れの形態であっても良い。
【００２９】
〔後部ローラユニット〕後部ローラユニットＵ５は、図４〜図９に示すように、前記チャッカーＣＨからの印画紙Ｐが受け渡される導入ローラ部Ｕ５ａと、この導入ローラ部Ｕ５ａから送られる印画紙Ｐを斜め下方に搬送して、前記現像ブロックＤｅの現像処理槽１５に備えた導入ローラ２８に受け渡す搬送ローラ部Ｕ５ｂとで構成されている。
【００３０】
前記導入ローラ部Ｕ５ａは、ステッピングモータ型の導入モータ５４で駆動される駆動ローラ５５と、この駆動ローラ５５に対して圧着する４つの圧着ローラ５６と、印画紙Ｐを斜め下方に案内するガイド板５７とを備えて構成されている。前記駆動ローラ５５は金属製の支軸５５Ａに対して、ゴムや樹脂によって形成されたものであり、前記圧着ローラ５６は金属製の支軸５６Ａに対して、ゴムや樹脂によって形成されたものであり、支軸５６Ａの軸芯に沿う方向での寸法（全長）が１５２ｍｍ程度に設定されている。
【００３１】
前記駆動ローラ５５は両側部の側板３５に支承され、この側板３５に対して前記導入モータ５４を支持し、この導入モータ５４から駆動ローラ５５の支軸５５Ａに対して動力を伝える伝動系を形成している。また、前記側板３５の上端部に対して分離自在に連結する連結フレーム５８に対して、前記振り分け経路Ｇ、Ｇの幅方向での略中央位置で、前記駆動ローラ５５の駆動軸芯Ｘに対して直交する姿勢となる支持軸芯Ｙ上に軸体５９を配置し、夫々の軸体５９を介して連結フレーム５８（支持体の一例）に支持される可動フレーム６０を備え、更に、この可動フレーム６０に対して一対の前記圧着ローラ５６を平行姿勢で遊転支承し、夫々の可動フレーム６０には駆動ローラ５５の外周部に対して突出側の端部が近接する樹脂製の案内体６２を備えている。
【００３２】
尚、夫々の可動フレーム６０に支承された圧着ローラ５６が印画紙Ｐの搬送経路を横断する形態で並列配置され、前述したように圧着ローラ５６の全長が１５２ｍｍに設定されているので、導入ローラ部Ｕ５ａでは、並列配置された圧着ローラ５６、５６と、駆動ローラ５５とによって３００ｍｍを超える幅の印画紙Ｐを圧着して搬送することも可能となっており、この導入ローラ部Ｕ５ａからの印画紙Ｐが送られる搬送ローラ部Ｕ５ｂにおいても３００ｍｍを超える幅の印画紙Ｐを圧着して搬送できるようローラの幅が設定されている。
【００３３】
前記軸体５９は、一方の端部を可動フレームの６０の側に固定し、他方の端部を前記連結フレーム５８の孔部に挿通する状態で配置され、この軸体５９に外嵌する状態で圧縮コイルバネ６１（付勢手段の一例）を備えることにより、連結フレーム５８に対して可動フレーム６０が前記支持軸芯Ｙ周りで揺動自在、かつ、支持軸芯Ｙに沿う方向で変位自在に支持されている。また、この圧縮コイルバネ６１の付勢力によって圧着ローラ５６の外周を前記駆動ローラ５５の側に圧着させ、更に、連結フレーム５８に突設した規制片６３を可動フレーム６０の孔部６０Ａに挿通させることにより、連結フレーム５８に対する支持軸芯Ｙ周りでの可動フレーム６０の過大な揺動を規制している。
【００３４】
前記軸体５９は、前記可動フレーム６０における長手方向（圧着ローラ５６の軸芯Ｗに沿う方向）の中央位置で、かつ、この可動フレーム６０の幅方向の中央位置に固設されている。図８に示す如く駆動ローラ５５に対して、一対の圧着ローラ５６、５６が圧着した状態で、前記チャッカーＣＨから水平方向に送り出された印画紙Ｐを上流側の圧着ローラ５６と駆動ローラ５５とで圧着する形態で受け取り、この印画紙Ｐを圧着ローラ５６の圧着力と、案内体６２の案内とにより駆動ローラ５５の外周に沿って印画紙Ｐを湾曲させ、搬送方向を斜め下方に変更し、この印画紙Ｐを下流側の圧着ローラ５６から斜め下方に送り出すよう搬送経路が形成されている。
【００３５】
図４及び図５に示すように、前記連結フレーム５８は一方の端部に係合突起５８Ａを形成し、他方の端部に被係合片５８Ｂを形成している。前記側板３５の一方には連結フレーム５８の係合突起５８Ａが係入する係入孔６５を形成してあり、側板３５の他方には連結フレーム５８の被係合片５８Ｂに係合するループ状の係合ロッド６６Ａと切換アーム６６Ｂとで成るバックル６６を備えている。これにより、バックル６６による連結を解除することにより連結フレーム５８と一体的に圧着ローラ５６を取り外せるものにしている。
【００３６】
前記搬送ローラ部Ｕ５ｂは、印画紙Ｐの搬送経路の上下位置にガイド板８０、８０を配置し、印画紙Ｐの搬送方向の上流位置と中間位置に駆動ローラ８１と従動ローラ８２で成る２組の搬送ローラを配置し、搬送方向の下流位置に駆動ローラ８３と従動ローラ８４とで成る搬送ローラを配置している。駆動ローラ８１、８１、８３は、駆動軸８１Ａ、８１Ａ、８３Ａと、ゴムや樹脂等の可撓性素材で成るローラ８１Ｂ、８１Ｂ、８３Ｂとで構成され、従動ローラ８２は、夫々とも支軸８２Ａに対してゴムや樹脂等の可撓性素材で成るローラ８２Ｂを備えて構成されている。また、前記従動ローラ８４は、支軸８４Ａに対してアルミニウム等の金属材料製のローラ８４Ｂを備えている。
【００３７】
上流位置の駆動ローラ８１の駆動軸８１Ａの一方の端部に入力ギヤ８６を備え、この入力ギヤ８６に対して前記導入ローラ部Ｕ５ａの駆動ローラ５５からの回転駆動力が伝えられるようギヤ式の伝動機構８７が形成されている。更に、この駆動軸８１Ａの他方の端部にプーリ８８を備え、これに隣接する中間位置の駆動ローラ８１の駆動軸８１Ａにプーリ８９を備え、下流位置の駆動ローラ８３の駆動軸８３Ａにギヤ９０を備え、このギヤ９０に咬合するギヤ９１と一体回転するプーリ９２を備え、これらのプーリ８８、８９、９２に無端ベルト９３を巻回することにより、全ての駆動ローラ８１、８１、８３を等速で同期駆動できるよう構成している。
【００３８】
上流位置の駆動ローラ８１を構成する駆動軸８１Ａと、ローラ８１Ｂとの間に一方向クラッチ９５を備え、中間位置の駆動ローラ８１を構成する駆動軸８１Ａと、前記プーリ８９との間に一方向クラッチ９５を備えている。夫々の一方向クラッチ９５とも、印画紙Ｐの搬送速度より高速で印画紙Ｐが送り込まれた際に、その印画紙Ｐの導入を許容するよう回転許容方向を設定してある。そして、この後部ローラユニットＵ５では、印画紙Ｐに対して適度な圧着力を作用させた状態での搬送を行い、また、最下流の搬送ローラから印画紙Ｐに作用させる圧着搬送力を、これ以外のローラにおける圧着搬送力より弱く設定し、かつ、現像ブロックＤｅの導入ローラ２８から印画紙Ｐに作用させる圧着搬送力より弱く設定してある。
【００３９】
この搬送ローラ部Ｕ５ｂでは、印画紙Ｐのベース側が上側に向かう姿勢（感光面が下側に向かう姿勢）で送り込まれるので、上流位置と中間位置との２つの駆動ローラ８３に印画紙Ｐのベース側が接触し、最下流位置の搬送ローラの従動ローラ８４に印画紙Ｐの感光面が接触するものとなる。特に、前述のように後部ローラユニットＵ５における印画紙Ｐの搬送速度より現像ブロックＤｅの導入ローラ２８の搬送速度が高速であり、しかも、前述のよう圧着搬送力を設定してあるので、この後部ローラユニットＵ５からの印画紙Ｐが現像ブロックＤｅの側に受け渡される場合には、駆動ローラ８３の可撓性材料製の圧着面に対して印画紙Ｐのベース側がスリップする状態となるものの、印画紙Ｐの感光面は従動ローラ８４の金属材料製の平滑な圧着面に接触し、しかも、この従動ローラ８４が印画紙の移動速度に対応した速度で回転し得るので、この従動ローラ８４と印画紙との相対速度を非常に小さいものにして、この印画紙Ｐの感光面を傷めることがない。
【００４０】
このように前部ローラユニットＵ３、振分ユニットＵ４、後部ローラユニットＵ５を組み合わせたものが本発明の感光材料の搬送構造に対応するものであり、本発明では、後部ローラユニットＵ５の搬送ローラ部Ｕ５ｂに対して、前記チャッカーＣＨによって印画紙Ｐを振り分ける形態（振り分けモードで）で受け渡された場合には、一方の側に配置された一対の圧着ローラ５６のうち上流側のものと、駆動ローラ５５との間に、その印画紙Ｐを導入する形態で受け取り、駆動ローラ５５の回転により下流側の圧着ローラ５６の側に搬送するものとなる。このように印画紙Ｐの搬送を行う際には、可動フレーム６０に対して圧縮コイルバネ６１から作用する付勢力によって、駆動ローラ５５と圧着ローラ５６との間に印画紙Ｐを挟み込む形態となり、この挟み込み時には、可動フレーム６０が連結フレーム５８の側に印画紙Ｐの厚みに対応する量だけ変位して振り分けられた印画紙Ｐに対して幅方向で均一の圧力を作用させるのである。
【００４１】
また、１つの可動フレーム６０に対して一対の圧着ローラ５６、５６を平行姿勢で遊転支承し、この可動フレーム６０が支持軸芯Ｙ周りで揺動自在に支持されているので、夫々の圧着ローラ５６、５６が駆動ローラ５５に対して圧着する際には、駆動ローラ５５の駆動軸芯Ｘと、圧着ローラ５６、５６の軸芯Ｗとが平行する姿勢に達して安定するものとなり、駆動ローラ５５の駆動軸芯Ｘと圧着ローラの軸芯Ｗとを平行姿勢に設定する調節を行わないで済むばかりか、蛇行させることなく印画紙Ｐを振り分け経路Ｇ上を直線的に搬送し得るものとなっている。更に、この搬送ローラ部Ｕ５ｂに対して振り分けを行わない状態で（単一搬送モードで）印画紙Ｐが受け渡された場合には、２つの可動フレーム６０、６０に遊転支承された圧着ローラ５６によって印画紙Ｐの幅方向の中心に対称となる位置を圧着することになるので、印画紙Ｐに対して幅方向で均衡した圧力を作用させた状態で、印画紙Ｐを圧着して搬送できるものとなっている。
【００４２】
更に、一対の圧着ローラ５６、５６を備えたことにより印画紙Ｐを駆動ローラ５５の外周に沿わせて湾曲させる形態で送り、印画紙Ｐの搬送方向を変更できるものにしており、また、バックル６６による連結を解除する操作により、連結フレーム５８と一体的に圧着ローラ５６を取り外し、駆動ローラ５５の部位を大きく露出させるばかりでなく、圧着ローラ５６や可動フレーム６０の部位を開放して紙詰まりの除去やメンテナンスを容易に行えるものにしている。
【００４３】
〔別実施の形態〕
本発明は、上記した実施の形態以外に、振り分けユニットにおいて３列以上の振り分け経路の感光材料（印画紙Ｐ）を振り分けるよう振分機構を構成し、振り分け経路の数に等しい数の可動フレーム６０と圧着ローラ５６とを備えるよう後搬送機構を構成しても良い。また、前搬送機構と、振分機構と、後搬送機構とを搬送方向で露光手段より上流側に配置して、振り分けた感光材料（印画紙Ｐ）を同時に露光するよう構成しても良い。
【図面の簡単な説明】
【００４４】
【図１】写真プリント装置の縦断側面図
【図２】露光ユニットで露光された印画紙を搬送する経路を示す側面図
【図３】振分ユニットの平面図
【図４】後部ローラユニットのローラ配置を示す後面図
【図５】導入ローラ部の分解斜視図
【図６】可動フレームの支持構造を示す図
【図７】可動フレームに支持された圧着ローラを示す底面図
【図８】後部ローラユニットのローラ配置を示す断面図
【図９】後部ローラユニットの斜視図
【符号の説明】
【００４５】
５５          駆動ローラ
５６          圧着ローラ
５８          支持体
５９          軸体
６０          可動フレーム
６１          付勢手段・圧縮コイルバネ
Ｐ            感光材料
Ｘ            駆動軸芯
Ｙ            支持軸芯
ＣＨ          チャッカー
Ｕ２          振分機構
Ｕ３          前搬送機構
Ｕ４          後搬送機構
【図１】
2005089165.tif 000003
【図２】
2005089165.tif 000004
【図３】
2005089165.tif 000005
【図４】
2005089165.tif 000006
【図５】
2005089165.tif 000007
【図６】
2005089165.tif 000008
【図７】
2005089165.tif 000009
【図８】
2005089165.tif 000010
【図９】
2005089165.tif 000011